(57)【特許請求の範囲】
【請求項１】
光源と、
該光源からの第１の光の一部により励起されて前記第１の光とは波長が異なる蛍光としての第２の光を発する蛍光体と、
前記蛍光体の温度を変更する温度変更手段と、
前記第１の光と前記第２の光との合成光における前記第１または第２の光の割合に関する情報を取得するための検出を行う検出手段と、
前記検出の結果を用いて取得された前記割合に関する情報に応じて前記温度変更手段を制御する色制御手段とを有し、
前記検出手段は、前記蛍光体の温度を検出する温度検出手段と前記光源からの前記第１の光の強度を検出する光強度検出手段とを含み、
前記色制御手段は、前記温度および前記強度の検出結果を用いて前記割合に関する情報を取得することを特徴とする光源装置。
【請求項２】
前記色制御手段は、前記割合が所定値と異なる場合に前記割合が前記所定値となるように前記温度変更手段を制御することを特徴とする請求項１に記載の光源装置。
【請求項３】
前記検出手段は、前記合成光の分光強度を検出する分光検出手段を有し、
前記色制御手段は、前記分光強度の検出結果を用いて前記割合に関する情報を取得することを特徴とする請求項１または２に記載の光源装置。
【請求項４】
前記色制御手段は、前記割合に関する情報に応じて、前記光源の発光強度を制御することを特徴とする請求項１から３のいずれか一項に記載の光源装置。
【請求項５】
請求項１から４のいずれか一項に記載の光源装置と、
前記光源装置からの光を変調する光変調手段とを有し、
前記光変調手段により変調された光により形成される画像を投射することを特徴とする画像投射装置。
【請求項６】
光源と、該光源からの第１の光の一部により励起されて前記第１の光とは波長が異なる蛍光としての第２の光を発する蛍光体と、前記蛍光体の温度を変更する温度変更手段と、前記第１の光と前記第２の光との合成光における前記第１または第２の光の割合に関する情報を取得するための検出を行う検出手段とを有する光源装置のコンピュータを動作させるコンピュータプログラムであって、
前記検出手段は、前記蛍光体の温度を検出する温度検出手段と前記光源からの前記第１の光の強度を検出する光強度検出手段とを含み、
前記コンピュータに、
前記温度および前記強度の検出結果を用いて前記割合に関する情報を取得させ、
該割合に関する情報に応じて前記温度変更手段を制御させることを特徴とする光源色制御プログラム。
【発明の詳細な説明】
【技術分野】
【０００１】
本発明は、画像投射装置等に好適な光源装置に関する。
【背景技術】
【０００２】
プロジェクタとも称される画像投射装置には、レーザダイオード等の固体光源と該固体光源からの光の一部（励起光）により励起されて励起光とは波長が異なる蛍光を発する（つまりは光の波長変換を行う）蛍光体とを有する光源装置を用いたものがある。この光源装置では、蛍光と光源からの光（非励起光）とを合成することで白色光が生成される。ただし、蛍光体は、これに照射される光源からの励起光の光密度や蛍光体の温度の変化等によって波長変換効率が変化する特性を持つ。蛍光体の波長変換効率が変化すると、蛍光と光源からの光との合成光のホワイトバランスが崩れる。特許文献１には、複数の蛍光体における蛍光体ごとに励起光のスポットサイズ（光密度）を変更することで、各蛍光体の波長変換効率の変化を抑制するプロジェクタが開示されている。
【先行技術文献】
【特許文献】
【０００３】
【特許文献１】特開２０１４−１９１００３号公報
【発明の概要】
【発明が解決しようとする課題】
【０００４】
しかしながら、特許文献１にて開示されたプロジェクタでは、蛍光体ごとに励起光のスポットサイズが変更されるため、蛍光体ごと（その蛍光体から発せられる蛍光ごと）に光学系の効率に関する調整が必要となる。
【０００５】
本発明は、簡単な方法によって光源からの光と蛍光との合成光のホワイトバランスの変化を抑制することができるようにした光源装置およびこれを備えた画像投射装置を提供する。
【課題を解決するための手段】
【０００６】
本発明の一側面としての光源装置は、光源と、該光源からの第１の光の一部により励起されて第１の光とは波長が異なる蛍光としての第２の光を発する蛍光体と、蛍光体の温度を変更する温度変更手段と、第１の光と第２の光との合成光における第１または第２の光の割合に関する情報を取得するための検出を行う検出手段と、該検出の結果を用いて取得された上記割合に関する情報に応じて温度変更手段を制御する色制御手段とを有する。検出手段は、蛍光体の温度を検出する温度検出手段と光源からの第１の光の強度を検出する光強度検出手段とを含み、色制御手段は、温度および強度の検出結果を用いて割合に関する情報を取得することを特徴とする。
【０００７】
なお、上記光源装置と、該光源装置からの光を変調する光変調手段とを有し、光変調手段により変調された光により形成される画像を投射する画像投射装置も本発明の他の一側面を構成する。さらに、上記光源装置のコンピュータに、上記割合に関する情報に応じて温度変更手段を制御させる光源色制御プログラムも、本発明の他の一側面を構成する。
【発明の効果】
【０００８】
本発明によれば、蛍光体の温度を制御することにより合成光のホワイトバランス等の色の変化を補正または調整することができる。
【図面の簡単な説明】
【０００９】
【図１】本発明の実施例１であるプロジェクタの構成を示すブロック図。
【図２】実施例１における光源部および蛍光体部の構成を示す図。
【図３】実施例１におけるホワイトバランス補正処理を示すフローチャート。
【図４】本発明の実施例２であるプロジェクタの構成を示すブロック図。
【図５】実施例２における光源部および蛍光体部の構成を示す図。
【図６】実施例２におけるホワイトバランス補正処理を示すフローチャート。
【発明を実施するための形態】
【００１０】
以下、本発明の実施例について図面を参照しながら説明する。
【実施例１】
【００１１】
図１には、本発明の実施例１である画像投射装置としてのプロジェクタ１００の構成を示している。図中の実線矢印は電気的な信号の流れを示し、白抜き矢印は光の流れを示している。
【００１２】
プロジェクタ１００は、操作部１０１、制御部１０２、蛍光体部１０３、色成分算出部１０４、光源駆動部１０５、光源部１０６、蛍光体冷却部１０７および色補正部１０８を有する。また、プロジェクタ１００は、画像取得部１０９、画像処理部１１０、変調駆動部１１１、光変調部１１２、照明光学系１１３、色分離合成系１１４および投射光学系１１５を有する。図２には、光源部１０６および蛍光体部１０３と、色成分算出部１０４および蛍光体冷却部１０７の一部とを示している。
【００１３】
図１において、操作部１０１は、プロジェクタ１００の各種設定の変更や後述する光源の点灯／消灯のための操作をユーザが行うためのユーザインターフェースである。操作部１０１には、ボタンやタッチパネル等の操作部材が設けられている。
【００１４】
制御部１０２は、ＣＰＵ等のマイクロコンピュータにより構成され、操作部１０１から入力される操作信号に応じて各部を制御する。
【００１５】
光源部１０６は、図２に詳しく示すように固体光源としての複数の青色レーザダイオード（ＬＤ）１０６ａ〜１０６ｅを有する。光源駆動部１０５は、光源部１０６（青色ＬＤ１０６ａ〜１０６ｅ）を駆動して発光させる。また、光源駆動部１０５は、制御部１０２からの光源制御信号に応じて光源部１０６の点灯／消灯の制御や光源部１０６の発光強度の制御を行う。
【００１６】
蛍光体部１０３は、黄色蛍光体粒子をバインダーに混ぜた蛍光体層１０３ａを金属製基板に塗布した蛍光体ホイール１０３ｂと、該蛍光体ホイール１０３ｂを回転させるモータ１０３ｃとにより構成されている。蛍光体層１０３ａには、光源部１０６の青色ＬＤ１０６ａ〜１０６ｅからの青色光（Ｂ：第１の光）の一部がミラーＭ１を含む光学系ＯＳを通して励起光として照射される。ミラーＭ１は、その中央部分が青色光を透過し、他の色光を反射する特性を有するダイクロイックミラーとして構成され、該中央部分の周囲の周辺部分が全色光を反射する反射ミラーとして構成されている。
【００１７】
蛍光体層１０３ａは、励起光の波長を変換して蛍光（波長変換光：第２の光）を発する。蛍光としての黄色光（Ｙ）は、青色ＬＤ１０６ａ〜１０６ｅからの光のうち蛍光体層１０３ａにより波長変換されなかった青色光（非波長変換光または非励起光）と合成されて白色光（Ｗ）としての合成光となる。蛍光体部１０３から出射した合成光は、ミラーＭ１の周辺部分により反射されて照明光学部１１３に導かれる。制御部１０２は、蛍光体部１０３に設けられた蛍光体ホイール（モータ）の回転速度の制御等を行う。
【００１８】
温度変更手段としての蛍光体冷却部１０７は、図２に示すファン１０７ａと、該ファン１０７ａを駆動するファンドライバとを有し、ファン１０７ａにより生成された空気の流れによって蛍光体ホイール１０３ｂ上の蛍光体層１０３ａの温度を変更する（低下させる）。一般に、蛍光体はその温度が上昇することで波長変換効率が下がる特性を有する。このため、ファン１０７ａを用いて蛍光体層１０３ａの温度を下げれば、波長変換効率を上げることができる。
【００１９】
色成分算出部１０４は、カラーセンサ等の分光検出手段により構成される波長検出部１０４Ａと、演算処理を行うマイクロプロセッサ（ＭＰＵ）等により構成される不図示の演算処理部とを有する。波長検出部１０４Ａは、例えば図２に示すようにハーフミラーＭ２を介して蛍光体部１０３からの合成光を受光して、合成光における青（Ｂ）成分、赤（Ｒ）成分および緑（Ｇ）成分（またはＢ成分と黄（Ｙ）成分）の分光強度を検出する。演算処理部は、波長検出部１０４Ａによる分光強度の検出結果から、蛍光部１０３からの合成光のうち光源部１０６からの光の色成分であるＢ光の光量と蛍光の色成分であるＹ光（＝Ｒ光＋Ｇ光）の光量を算出する。
【００２０】
色制御手段としての色補正部１０８は、色成分算出部１０４によるＢ光とＹ光の光量の算出結果から、蛍光部１０３からの合成光においてＢ光（の光量）が占める割合に関する情報を取得し、該割合に関する情報に応じて蛍光体冷却部１０７を制御する。本実施例では、割合に関する情報として、Ｂ光／（Ｂ光＋Ｙ光）＝０．２等、Ｂ光の割合を直接示す情報（以下、単に割合という）を取得する。ただし、これは例であり、割合に関する情報の形式や内容はどのようものであってもよい。このことは、後述する実施例２でも同じである。
【００２１】
蛍光体冷却部１０７のファン１０７ａの回転／停止および回転数を制御して蛍光体層１０３ａの温度を変更することで蛍光体層１０３ａの波長変換効率を制御する。これにより、非波長変換光であるＢ光と蛍光であるＹ光との合成割合を変更して、蛍光体部１０３から出射する合成光のホワイトバランスを補正（調整）する。
【００２２】
光源部１０６、蛍光体部１０３、光源駆動部１０５、制御部１０２、色成分算出部１０４、蛍光体冷却部１０７および色補正部１０８によって光源装置１２０が構成される。
【００２３】
画像取得部１０９は、不図示の外部映像機器からの入力される画像信号を取得する。外部映像機器には、パーソナルコンピュータ、ＤＶＤプレイヤ、スマートフォン等がある。
【００２４】
画像処理部１１０は、画像取得部１０９からの画像信号を光変調素部１１２への供給に適したフォーマットや解像度を有する画像データに変換し、該画像データを変調駆動部１１１に供給する。変調駆動部１１１は、画像処理部１１０からの画像データに基づいて光変調部１１２に含まれる光変調素子（１１２Ｒ，１１２Ｇ，１１２Ｂ）を駆動する。
【００２５】
光変調手段としての光変調部１１２は、反射型または透過型液晶パネルにより構成されるＲ光変調素子１１２Ｒ、Ｇ光調素子１１２ＧおよびＢ光変調素子１１２Ｂを含む。各光変調素子は、変調駆動部１１１によって画像データに基づいて駆動されることにより、入射した光を画像データに応じて変調する。なお、光変調素子として、デジタルマイクロミラーデバイス（ＤＭＤ）等、液晶パネル以外のものを用いてもよい。
【００２６】
照明光学系１１３は、蛍光体部１０３からの合成光（Ｗ光）を、色分離合成系１１４を介して光変調部１１２に導く。色分離合成系１１４は、照明光学部１１３からのＷ光をＲ光、Ｇ光およびＢ光に分離してそれぞれを光変調素子１１２Ｒ，１１２Ｇ，１１２Ｂに導く。さらに、色分離合成部１１４は、光変調素子１１２Ｒ，１１２Ｇ，１１２Ｂにて変調されたＲ光、Ｇ光およびＢ光を合成してカラー画像光として投射光学系１１５に導く。投射光学系１１５は、色分離合成系１１４からのカラー画像光により形成されるカラー投射画像をスクリーン等の被投射面に拡大投射する。
【００２７】
次に、図３のフローチャートを用いて、色補正部１０８が行うホワイトバランスを補正する処理（ホワイトバランス補正処理）について説明する。この処理では、蛍光体部１０３から出射する合成光のホワイトバランスが変化した場合に、蛍光体冷却部１０７の制御を通じて蛍光体部１０３の温度を変更することで合成光のホワイトバランスを補正する。ＣＰＵ等のコンピュータにより構成される色補正部１０８は、コンピュータを動作させるコンピュータプログラムとしての光源色制御プログラムに従って本処理を実行する。
【００２８】
ステップＳ１００で画像取得部１０９が画像データを取得し、ステップＳ１０１で変調駆動部１１１が光変調素子１１２Ｒ，１１２Ｇ，１１２Ｂを駆動して画像投射が開始されると、制御部１０２は色補正部１０８にステップＳ１０２からの処理を開始させる。このプロジェクタ１００の起動時点では蛍光体部１０３からの合成光のホワイトバランスが初期バランス（合成光におけるＢ光の割合が所定値）に設定されているものとする。
【００２９】
ステップＳ１０２では、色補正部１０８は、色成分算出部１０４に、波長検出部１０４Ａによる合成光の分光強度の検出結果を用いて蛍光体部１０３からの合成光におけるＢ光とＹ光の光量を算出させる。
【００３０】
次にステップＳ１０３では、色補正部１０８は、ステップＳ１０２で算出されたＢ光とＹ光（＝Ｒ光＋Ｇ光）の光量に基づいて、蛍光体部１０３からの合成光に対するホワイトバランス補正を行う必要があるか否かを判定する。具体的には、色補正部１０８は、ステップＳ１０２でのＢ光とＹ光の光量の算出結果から、蛍光体部１０３からの合成光におけるＢ光の割合が上記所定値より大きいか小さいかを判定する。言い換えれば、合成光のホワイトバランスが初期バランスから崩れたか否かを判定する。Ｂ光の割合に対する所定値は、幅を持った値（つまりは所定範囲）であってもよい。Ｂ光の割合が所定値より大きいと判定した場合はステップＳ１０４に進み、所定値より小さいと判定した場合はステップＳ１０５に進む。
【００３１】
ステップＳ１０４では、色補正部１０８は、蛍光体冷却部１０７のファン１０７ａをその回転を開始させる又は回転数を増加させるように制御して蛍光体部１０３（蛍光体層１０３ａ）の温度を低下させる。本実施例では、蛍光体層１０３ａに照射される励起光の光密度を一定としており、蛍光体層１０３ａの温度を低下させて蛍光体層１０３ａの波長変換効率を上げことにより、合成光のうちＢ光の割合を下げ、Ｙ光（＝Ｒ光＋Ｇ光）の割合を上げることができる。この後、色補正部１０８はステップＳ１０６に進む。
【００３２】
一方、ステップＳ１０５では、色補正部１０８は、蛍光体冷却部１０７のファン１０７ａの回転数を減少させる又は回転を停止させるように制御して蛍光体部１０３（蛍光体層１０３ａ）の温度を上昇させる。蛍光体層１０３ａの温度を上昇させて蛍光体層１０３ａの波長変換効率を下げることにより、合成光のうちＢ光の割合を上げ、Ｙ光の割合を下げることができる。この後、色補正部１０８はステップＳ１０６に進む。
【００３３】
ステップＳ１０６では、色補正部１０８は、再び色成分算出部１０４に蛍光体部１０３からの合成光におけるＢ光とＹ光の光量を算出させる。
【００３４】
次にステップＳ１０７では、色補正部１０８は、ステップＳ１０６で算出されたＢ光とＹ光の光量から、蛍光体部１０３からの合成光におけるＢ光の割合が上記所定値であるか否かを判定する。色補正部１０８は、Ｂ光の割合が所定値である場合は本処理を終了する。この後は、図３中に鎖線矢印で示すように、所定時間ごとにステップＳ１０２からの処理を繰り返す。一方、Ｂ光の割合が所定値でない場合は、色補正部１０８は、ステップＳ１０３に戻り、該ステップでの判定を行う。これにより、本ステップで蛍光体部１０３からの合成光におけるＢ光の割合が所定値となるまで蛍光体冷却部１０７の制御が行われる。
【００３５】
本実施例によれば、蛍光体層１０３ａの温度の変化による波長変換効率の変動に起因して合成光のホワイトバランスが崩れたか否かを判定し、崩れた場合は蛍光体層１０３ａの温度を変更（制御）することでホワイトバランスを元に戻す（補正する）ことができる。このため、蛍光体層１０３ａの温度の変化による投射画像の色味の変化を抑えることができる。
【００３６】
なお、図３のフローチャートでは、蛍光部１０３からの合成光におけるＢ光の割合を取得して該Ｂ光の割合に応じて蛍光体冷却部１０７を制御する場合について説明した。しかし、蛍光部１０３からの合成光におけるＹ光の割合を算出して該Ｙ光の割合に応じて蛍光体冷却部１０７を制御してもよい。このことは、後述する実施例２でも同じである。
【実施例２】
【００３７】
次に、本発明の実施例２であるプロジェクタ１００′の構成を、図４および図５を用いて説明する。図４および図５において、本実施例の構成要素のうち、実施例１の構成要素と共通するものには実施例１と同符号を付して説明に代える。
【００３８】
実施例１では色成分算出部１０４を波長検出部１０４Ａと演算処理部により構成したが、本実施例における色成分算出部１０４′は、光強度検出部（光強度検出手段）１０４Ｂと温度検出部（温度検出手段）１０４Ｃと演算処理部とにより構成されている。
【００３９】
光強度検出部１０４Ｂは、図５にも示すように、光源部１０６（青色ＬＤ１０６ａ〜１０６ｅ）から発せられる光の強度を検出するフォトセンサにより構成されている。光源部１０６からの光の一部は、例えば、光学系ＯＳ内のミラーＭ１よりも光源部１０６側に配置されたハーフミラーＭ３で反射されて光強度検出部１０４Ｂに導かれる。温度検出部１０４Ｃは、蛍光体部１０３のうち蛍光体層１０３ａにおける光源部１０６からの励起光が照射される位置（励起光スポット）の温度を検出する。温度検出部１０４Ｃとしては、例えば図５に示すように、励起光スポットの温度を蛍光体層１０３ａに対して非接触で検出可能な温度センサを用いるのが好ましい。
【００４０】
演算処理部は、光源部１０６からの光の強度を用いて蛍光体層１０３ａに照射される励起光の光密度を算出するための計算データを予め保持している。このため、演算処理部は、光強度検出部１０４Ｂによる強度の検出結果と該計算データを用いて蛍光体層１０３ａに照射される励起光の光密度を算出することができる。また、演算処理部は、蛍光体層１０３ａの励起光スポットの温度を用いて蛍光体層１０３ａの波長変換効率を算出するための計算データを予め保持している。このため、演算処理部は、温度検出部１０４Ｃによる温度の検出結果と該計算データを用いて蛍光体層１０３ａの波長変換効率を算出することができる。そして、演算処理部は、光密度の算出結果と波長変換効率の算出結果とを用いて、蛍光体部１０３から出射する合成光におけるＢ光とＹ光の光量を算出する。
【００４１】
なお、演算処理部に、光源部１０６からの光の強度ごとおよび蛍光体層１０３ａの励起光スポットの温度ごとに予め算出された合成光におけるＢ光とＹ光の光量を示すテーブルデータを保持させてもよい。この場合は、このテーブルデータから、光強度検出部１０４Ｂによる強度の検出結果と温度検出部１０４Ｃによる蛍光体層１０３ａの励起光スポットの温度の検出結果とに対応するＢ光とＹ光の光量のデータを読み出すことでＢ光とＹ光の光量を取得すればよい。以下の説明では、Ｂ光とＹ光の光量を算出することも該光量を取得するという。
【００４２】
色制御手段としての色補正部１０８′は、実施例１の色補正部１０８と同様に、色成分算出部１０４′により取得されたＢ光とＹ光の光量から蛍光部１０３からの合成光においてＢ光が占める割合を算出（取得）し、該割合に応じて蛍光体冷却部１０７を制御する。これにより、非波長変換光であるＢ光と蛍光であるＹ光との合成割合を変更して、蛍光体部１０３から出射する合成光のホワイトバランスを補正（調整）する。光源部１０６、蛍光体部１０３、光源駆動部１０５、制御部１０２、色成分算出部１０４′、蛍光体冷却部１０７および色補正部１０８′によって光源装置１２０′が構成される。
【００４３】
図６のフローチャートには、本実施例において色補正部１０８′が行うホワイトバランス補正処理を示している。本実施例でも、実施例１と同様に、蛍光体部１０３から出射する合成光のホワイトバランスが変化した場合に、蛍光体冷却部１０７の制御を通じて蛍光体部１０３の温度を変更することで合成光のホワイトバランスを補正する。色補正部１０８′がコンピュータプログラムとしての光源色制御プログラムに従って本処理を実行することも実施例１と同じである。
【００４４】
図６のフローチャートにおいて、ステップＳ１００およびステップＳ１０１での処理は実施例１（図３）におけるステップＳ１０１およびステップＳ１０１での処理と同じである。
【００４５】
ステップＳ１０１の後のステップＳ２０１では、色補正部１０８′は、色成分算出部１０４′に、光強度検出部１０４Ｂによる光源部１０６からの光の強度の検出結果を用いて蛍光体層１０３ａに照射される励起光の光密度を算出させる。また、色補正部１０８′は、色成分算出部１０４′に、温度検出部１０４Ｃによる蛍光体層１０３ａの励起光スポットの温度の検出結果を用いて蛍光体層１０３ａの波長変換効率を算出させる。さらに、色補正部１０８′は、演算処理部に、上記光密度の算出結果と上記波長変換効率の算出結果とを用いて蛍光体部１０３から出射する合成光におけるＢ光とＹ光（＝Ｒ光＋Ｇ光）の光量を取得させる。
【００４６】
次にステップＳ２０２では、色補正部１０８′は、ステップＳ２０１で取得されたＢ光とＹ光の光量から、蛍光体部１０３からの合成光におけるＢ光の割合が所定値であるか否かを判定する。実施例１でも述べたように、Ｂ光の割合に対する所定値は、幅を持った値（つまりは所定範囲）であってもよい。色補正部１０８′は、Ｂ光の割合が所定値である場合はステップＳ２０１に戻る。一方、Ｂ光の割合が所定値でない場合は、色補正部１０８′は、ステップＳ２０３に進む。
【００４７】
ステップＳ２０３では、色補正部１０８′は、光強度検出部１０４Ｂにより検出された光源部１０６からの光の強度が所定強度以下か否かを判定する。検出された強度が所定強度以下であると判定した場合は、色補正部１０８′はステップＳ２０４に進み、そうでない場合はステップＳ１０３に進む。
【００４８】
ステップＳ２０４では、色補正部１０８′は、光源部１０６からの光の強度を上げるため、制御部１０２を通じて光源駆動部１０５から光源部１０６の青色ＬＤ１０６ａ〜１０６ｅへの供給電流を増加させる等、光源部１０６の発光強度を増加させる制御を行う。
【００４９】
次にステップＳ２０５では、色補正部１０８′は、色成分算出部１０４′にステップＳ２０１と同様に蛍光体部１０３からの合成光におけるＢ光とＹ光の光量を取得させる。その後、色補正部１０８′はステップＳ１０３に進み、実施例１のステップＳ１０３と同様に、ステップＳ２０５で取得されたＢ光とＹ光の光量から蛍光体部１０３からの合成光におけるＢ光の割合を算出する。そして、該Ｂ光の割合が所定値より大きいか小さいか、すなわちホワイトバランスが崩れたか否かを判定する。Ｂ光の割合が所定値より大きいと判定した場合はステップＳ１０４に進み、所定値より小さいと判定した場合はステップＳ１０５に進む。これらステップＳ１０４およびステップＳ１０５での処理は、実施例１のステップＳ１０４およびステップＳ１０５での処理と同じである。
【００５０】
そして、これらステップＳ１０４およびステップＳ１０５からステップＳ２０６に進んだ色補正部１０８′は、色成分算出部１０４′にステップＳ２０１，Ｓ２０５と同様に蛍光体部１０３からの合成光におけるＢ光とＹ光の光量を取得させ、ステップＳ１０７に進む。ステップＳ１０７の処理およびその後の処理は、実施例１のステップＳ１０７の処理およびその後の処理と同じである。
【００５１】
本実施例によれば、蛍光体層１０３ａの温度の変化による波長変換効率の変動に起因して合成光のホワイトバランスが崩れたか否かを判定し、崩れた場合は蛍光体層１０３ａの温度を変更（制御）することでホワイトバランスを元に戻す（補正する）ことができる。このため、蛍光体層１０３ａの温度の変化による投射画像の色味の変化を抑えることができる。しかも、本実施例では、蛍光体部１０３からの合成光におけるＢ光の割合を取得するために、光源部１０６からの光の強度と蛍光体層１０３ａの温度の検出結果を用いている。さらに、蛍光体部１０３からの合成光のホワイトバランスを補正する方法として、蛍光体部１０３の温度制御のみではなく光源部１０６からの光の強度（光源部１０６の発光強度）を変更する。これにより、光源部１０６の経時変化による蛍光体層１０３ａでの照度低下に起因する蛍光体部１０３からの合成光のホワイトバランスの崩れに対してもこれを良好に補正することができる。
【００５２】
上記各実施例では蛍光部１０３からの合成光のホワイトバランスを補正する場合について説明したが、本発明は、合成光のホワイトバランスを補正する場合だけでなく、合成光の色を目的の色に調整する際に広く用いることができる。
【００５３】
また、上記各実施例では、青色光（第１の光）を励起光として用いて蛍光（第２の光）である黄色光を発生させてこれらを合成する場合について説明した。しかし、これは例にすぎず、１つの第１の光を励起光として用いて互いに異なる複数の蛍光である第２の光を発生させてこれらを合成したり、複数の第１の光のうち少なくとも１つを励起光として用いて、該複数の第１の光と発生した蛍光である第２の光とを合成したりしてもよい。
【００５４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５５】
以上説明した各実施例は代表的な例にすぎず、本発明の実施に際しては、各実施例に対して種々の変形や変更が可能である。
【符号の説明】
【００５６】
１００，１００′  プロジェクタ
１０３  蛍光体部
１０４，１０４′  色成分算出部
１０６  光源部
１０７  蛍光体冷却部
１０８，１０８′  色補正部
【図１】
0006672024.tif 000002
【図２】
0006672024.tif 000003
【図３】
0006672024.tif 000004
【図４】
0006672024.tif 000005
【図５】
0006672024.tif 000006
【図６】
0006672024.tif 000007